(57)【要約】【課題】ラックに搭載された薄型サーバのメンテナンス及び障害発生時の作業を容易にする。【解決手段】ラックに引き出し可能な状態で搭載される、電子部品を実装した薄型形状のサーバにおいて、電源、メモリ、ＣＰＵを含む電子部品を実装した第１のボード２と、第1のボードに対して装置の前面側に引き出し可能に構成され、電源及び該ＣＰＵを冷却するためのファンユニットを含む電子部品を実装した第２のボード１２により構成する。第１のボードと第２のボードにはそれぞれの端部が接続されたケーブル２４を覆って保護し、かつ第２のボードを引き出し又は元に戻す動作に応じて伸縮可能な構造に構成されたケーブルダクト１９を設ける。【選択図】図１
2007183735.tif 000002
【特許請求の範囲】
【請求項１】
ラックに引き出し可能な状態で搭載される、電子部品を実装した薄型形状の電子装置であって、
ある種の電子部品を実装した第１のボードと、該第1のボードに対して該装置の前面側に引き出し可能に構成された、ある種の電子部品を実装した第２のボードと、該第１のボードと該第２のボードにそれぞれの端部が接続されたケーブルと、を備え、該第１のボードに対して該第２のボードを前面側に引き出すとき、該第１のボード側の該ケーブルの接続部を固定した状態で、該第２のボードを引き出すことを特徴とする電子装置。
【請求項２】
ラックに引き出し可能な状態で搭載される、電子部品を実装した薄型形状の電子装置であって、
ある種の電子部品を実装した第１のボードと、該第1のボードに対して該装置の前面側に引き出し可能に構成された、ある種の電子部品を実装した第２のボードと、該第１のボードと該第２のボードにそれぞれの端部が接続されたケーブルと、該ケーブルを覆って保護し、かつ該第２のボードを引き出し又は元に戻す動作に応じて伸縮可能な構造に構成されたケーブルダクト、とを備えたことを特徴とする電子装置。
【請求項３】
該第１のボードは電源、メモリ、ＣＰＵを含む電子部品を実装し、かつこれらの電子部品を覆う第１の天板を備え、該第２のボードはＨＤＤ、並びに該電源及び該ＣＰＵを冷却するためのファンユニットを含む電子部品を実装し、かつこれらの電子部品を覆う第２の天板を備えることを特徴とする請求項１又は２の電子装置。
【請求項４】
前記ケーブルダクトは数段構造を成し、かつその内部に直立させた複数のピンを備え、該ピンの間に該ケーブルを案内することを特徴とする請求項２又は３の電子装置。
【請求項５】
前記複数のピンは、該装置の前面から見て左右非対称の位置に直立して設けられ、該ピンと該ケーブルダクトの内壁が形成する広い方の空間内で該ケーブルの余長部分を確保するように、該ケーブルを案内することを特徴とする請求項１乃至４のいずれかの電子装置。
【発明の詳細な説明】
【技術分野】
【０００１】
本発明は電子装置に係り、特にラックに搭載される薄型サーバの実装構造に関するものである。
【背景技術】
【０００２】
この種の薄型サーバとして１Ｕサーバが知られている。１Ｕサーバは、厚さ約４４．５ｍｍの大きさで、１区画が１９インチのラックに収まる形状である。縦横１９インチ、高さ４４．５ｍｍを１区画とする慣例からこのサイズを１Ｕ（ユニット）と呼んでいる。この薄型サーバには、ＣＰＵやメモリの他、ハードディスク（ＨＤＤ）、ＣＤ−ＲＯＭ，ＦＤＤ等が実装されており、顧客から要求される処理能力に応じて、薄型サーバの台数を増やしてラックに収納している。設置環境によっては１台のラックに３０台以上の１Ｕサーバが搭載される場合もある。
【０００３】
薄型サーバの実装構造に関して、例えば、特開２００３−３６６６９公報（特許文献１）には、サーバユニット内のハードディスク装置（ＨＤＤ）の交換を容易にするために、サーバユニットのケースを前面に移動可能な引出し構造として、全てのＨＤＤの交換を前面側から行なえるようにした電子機器及びラックの技術が開示されている。
【０００４】
【特許文献１】特開２００３−３６６６９公報
【発明の開示】
【発明が解決しようとする課題】
【０００５】
近年、サーバは２４時間稼動が求められている。このため、障害発生時やメンテナンス時には、できるだけサーバを稼働しながら作業を行なうか、或いはサーバの停止時間を極力短くしてそれらの作業を行なうのが好ましい。
【０００６】
上記特許文献１の技術によれば、サーバユニットを引き伸ばす構造になっておらず、作業時はユニット全体を前面に移動して行なうことになる。このため、ケーブルの背面の接続部まで含めた部分も前面に引き出されるので、ユニットの背面に接続されているケーブルが抜ける恐れがある。また、ラックに搭載されるユニットの保守に際しては、ラックからユニットを下ろさなければ、サーバ内の保守作業等ができないことになる。
また、上記特許文献１には、ケーブルの処理やケーブルダクトについては言及されていない。
【０００７】
本発明の目的は、サーバをラックから下ろさなくても、保守作業を容易に行なうことができる電子装置を提供することにある。
本発明は、電子部品を実装するボードを複数に分割して１つのボードを前面側に引き出し可能とした薄型サーバの新規な実装構造を提供することにある。
【課題を解決するための手段】
【０００８】
本発明は、ラックに引き出し可能な状態で搭載される、電子部品を実装した薄型形状の電子装置であって、ある種の電子部品を実装した第１のボードと、第1のボードに対して装置の前面側に引き出し可能に構成された、ある種の電子部品を実装した第２のボードと、第１のボードと第２のボードにそれぞれの端部が接続されたケーブルと、を備え、第１のボードに対して第２のボードを前面側に引き出すとき、第１のボード側のケーブルの接続部を固定した状態で、第２のボードを引き出すように構成した電子装置である。
【０００９】
好ましい例では、本発明は、ラックに引き出し可能な状態で搭載される、電子部品を実装した薄型形状の電子装置であって、ある種の電子部品を実装した第１のボードと、第1のボードに対して装置の前面側に引き出し可能に構成された、ある種の電子部品を実装した第２のボードと、第１のボードと第２のボードとを電気的に接続するケーブルと、ケーブルを覆って保護し、かつ第２のボードを引き出し又は元に戻す動作に応じて伸縮可能な構造に構成されたケーブルダクト、とを備えた電子装置として構成される。
【００１０】
好ましい例では、第１のボードは電源、メモリ、ＣＰＵを含む電子部品を実装し、かつこれらの電子部品を覆う第１の天板を備え、第２のボードはＨＤＤ、並びに電源及びＣＰＵを冷却するためのファンユニットを含む電子部品を実装し、かつこれらの電子部品を覆う第２の天板を備える。
また、好ましくは、前記ケーブルダクトは数段構造を成し、かつその内部に直立させた複数のピンを備え、ピンの間にケーブルを案内する。
また、好ましくは、前記複数のピンは、装置の前面から見て左右非対称の位置に直立して設けられ、ピンとケーブルダクトの内壁が形成する広い方の空間内でケーブルの余長処理を確保するように、ケーブルを案内する。
【発明の効果】
【００１１】
本発明によれば、第１のボードに対して第２のボードを前面側に移動させることで、薄型サーバの保守作業を容易に行なうことができる。また、ケーブルの背面側の接続部（第１のボード側）を移動させないで、第２のボードのみを前面側に移動させることができるので、背面側のケーブルが抜けるのを防止できる。また、第１のボードと第２のボードに接続されたケーブルを保護するケーブルダクトを伸縮構造とすることで、ケーブルの余長処理及び部品の冷却効率を維持することができる。
【発明を実施するための最良の形態】
【００１２】
以下、図面を参照して本発明の実施例について説明する。
図１は薄型サーバの内部実装構造を示す図であり、図２はその外観図である。また、図３は図１に対して後部天板２８で覆った状態のサーバの外観を示し、図４は図３の状態より前部天板２７を開けた状態を示す。図１に示す薄型サーバの内部構造は、図２に示す状態のものから筐体を引き伸ばし、かつ図３及び図４の状態から前部天板２７及び後部天板２８を外した状態を示す。
複数台の薄型サーバ１は、図８に示すラック３１に搭載される。図８は、ラック３１から薄型サーバ１を前面側に引き出した状態を示している。
【００１３】
図１〜図４において、２はマザーボード、３はＣＰＵ、４はメモリ、５はチップセット、６はＰＣＩライザーカード、７はＨＤＤ、８はＣＤ−ＲＯＭドライブ、９はＦＤドライブ、１０はフロントパネルボード、１１はファンユニット、１２はＨＤＤバックボード、１３はＣＤ−ＲＯＭケーブル、１４はＦＤＤケーブル、１５はフロントパネルボードケーブル、１６ａは電源（標準側）、１６ｂは電源（増設側）、１７は電源バックボード、１８は電源ケーブル、１９はケーブルダクト、２０は背面コネクタ類、２１は背面ケーブル類、２２はＰＣＩボードスロット、２４はケーブル、２５（図６）はマザーボード側ケーブルコネクタ、２６はＨＤＤバックボード側コネクタ、２７は前部天板、２８は後部天板、３０はラックイヤーである。前面にはフロントべゼル２９（図２）を有している。
【００１４】
図３及び図４は図１の構造に対して後部天板２８で覆った状態を示し、いずれも筐体を途中から伸ばした状態である。ただしフロントベゼル２９を外してある。図５は図２の状態にあるサーバ１の内部構造図であり、伸ばした状態（図１）から収納状態（元の状態）に戻した状態を示している。
【００１５】
本実施例で特徴的なことは、マザーボード２は、ＣＰＵ３、メモリ４、チップセット５、ＰＣＩライザーカード６、及び電源１６ａ,１６ｂ等を実装しており、ＨＤＤバックボード１２は、ＨＤＤ７、ＣＤ−ＲＯＭドライブ８、ＦＤドライブ９、フロントパネルボード１０及びファンユニット１１を実装している。ここで、ＨＤＤバックボード１２は、マザーボード２に対して前面側に引き出し可能な構造となっている。ＨＤＤバックボード１２とマザーボード２は、コネクタ２６，２５を備え、これらのコネクタ２５，２６にはケーブル２４が接続されている。また、ケーブル２４を覆ってそれを保護するために伸縮可能なケーブルダクト１９が実装される。これについては、図６以降の図面を参照して詳説される。
【００１６】
図６は図５の上部平面図である。この状態は、前部天板２７が後部天板２８の下側に収納され、ＨＤＤバックボード１２が収納された状態である。ケーブルダクト１９は縮んだ状態にある。図７は図６の状態からＨＤＤバックボード１２が前面側に引き出された状態であり、ケーブルダクト１９が伸びた状態になる。ケーブルダクト１９内のケーブル２４も伸びた状態になる。
【００１７】
図９〜図１２はケーブルダクト１９の構成を示す。ケーブルダクト１９は数段構造、例えば３段
構造になっており、図１１、１２に示すように、箱型形状の箱の大きさが順に異なる３つのダクト１９１、１９２，１９３から構成される。ダクト１９１の上端部Ａは固定部となるマザーボード２側に固定され、大きいダクト１９３の下端部Ｂは可動するＨＤＤバックボード１２に固定される。移動する側の大きい方のダクト１９３，１９２は、小さい方のダクト１９２，１９１を覆って入り込む構造である。
【００１８】
更に、ケーブルダクト１９１内には２本のピン２３が直立して固定されている。ピン２３はケーブル２４の余長処理を考慮した空間を形成する。
図１３及び１４はケーブルダクト１９内のケーブル２４を配線した状態を示す。ケーブル２４は２つのピン２３の間を通って案内され、マザーボード側コネクタ２５とＨＤＤバックボード側コネクタ２６に接続される。ケーブル２４は２つのピン２３の間を通って伸びた状態になる。ＨＤＤバックボード１２を引き伸ばした状態から元に戻すと、ケーブルダクト１９及びケーブルダクト１９内のケーブル２４は縮んで、図１３のように、ダクト１９１内に収納される状態になる。
【００１９】
図９〜図１３に示すように、本実施例では、２本のピン２３はケーブルダクト１９のやや左側に設置して、ケーブルダクト１９内の右側に大きな空間を設けることによってケーブル２４の余長処理をしている。ここで、ピン２３の位置はケーブルダクト１９内の左右どちらでもよいが、どちらか一方に寄らせることによりケーブル２４の余長処理の空間を確保することができる。また、ケーブル２４としてはシリアルＡＴＡケーブルのようなフレキシブルなケーブルを使用することにより、スムーズにケーブルダクト１９内のケーブル２４を余長処理することができる。
【００２０】
薄型サーバでは狭い筐体内にＣＰＵ３等の発熱部を搭載するので、筐体内部の温度が上昇する。そこで、装置内部を冷却するために、強力なファンユニット１１が必要となる。しかるに、筐体を引き伸ばすだけでは、ＣＰＵ３等の冷却が不十分になる可能性がある。
本発明の実施例によれば、前部天板２７で装置の伸ばした部分を覆うような構造にすることにより、装置の上へファンユニット１１の冷却風は逃げないので、冷却効率は向上する。また、装置の保守や故障時には、前部天板２７を開けて作業を行なうことができる。
【００２１】
図１及び図７のようにケーブルダクト１９を伸ばした状態では、ファンユニット１１からの冷却風がＣＰＵ３側と電源１６側に分けられるので、効率的に装置内を冷却することができる。すなわちケーブルダクト１９が冷却風の仕切り板の役割を果たす。
サーバの保守作業等は、図８のように、ラック３１からサーバの装置を引き出して、前部天板２７を開けた状態で、例えばファンユニット１１やＨＤＤバックボード１２など故障箇所の保守を行なうことができる。
【００２２】
薄型サーバ１の背面に接続された背面ケーブル類２１についても、ラック３１に数多くのサーバが搭載されるので、ケーブル類２１に余長を持たせた又はケーブル類２１をアームに固定してアームを伸び縮みできるようにしたとしても、ケーブル配線が複雑になりケーブル類２１が装置背面のコネクタ２０から抜ける可能性又はケーブル類２１が絡まる可能性がある。しかるに、本実施例では、装置の後部はラック３１に固定されているので、装置背面のケーブル類２１が抜ける可能性や絡まる可能性はない。
【００２３】
以上、一実施例について説明したが、本発明は薄型サーバへの適用に限定されるものではない。ラックに収納され、ラックから引き出し可能な電子ユニットであれば、サーバ以外にも適用可能である。
【図面の簡単な説明】
【００２４】
【図１】一実施例における薄型サーバの内部実装構造を示す図、
【図２】一実施例における薄型サーバの外観図、
【図３】一実施例における薄型サーバを引き伸ばした状態を示す外観図、
【図４】一実施例における薄型サーバを引き伸ばして前部天板をはずした状態を示す図、
【図５】一実施例における薄型サーバの内部構造状態を示す図、
【図６】一実施例における薄型サーバを上から見た内部構造状態を示す上部平面図、
【図７】一実施例における薄型サーバを引き伸ばした状態の内部構造状態を示す上部平面図、
【図８】一実施例におけるラック３１の構造及び１つの薄型サーバ１を引き伸ばした状態を示す図、
【図９】一実施例におけるケーブルダクト１９を上から見た図、
【図１０】一実施例におけるケーブルダクト１９を横から見た図、
【図１１】一実施例におけるケーブルダクト１９を伸ばした状態で上から見た図、
【図１２】一実施例におけるケーブルダクト１９を伸ばした状態で横から見た図、
【図１３】一実施例における薄型サーバの通常時のケーブル配線状態を示す図、
【図１４】一実施例における薄型サーバのボードを引き出した時のケーブル配線状態を示す図。
【符号の説明】
【００２５】
１：薄型サーバ  ２：マザーボード  ３：ＣＰＵ  ４：メモリ  ５：チップセット  ６：ＰＣＩライザーカード  ７：ＨＤＤ  ８：ＣＤ−ＲＯＭドライブ  ９：ＦＤドライブ  １０：フロントパネルボード  １１：ファンユニット  １２：ＨＤＤバックボード  １３：ＣＤ−ＲＯＭケーブル  １４：ＦＤＤケーブル  １５：フロントパネルボードケーブル  １６ａ：電源（標準側）  １６ｂ：電源（増設側）  １７：電源バックボード  １８：電源ケーブル  １９：ケーブルダクト  ２０：背面コネクタ類  ２１：背面ケーブル類  ２２：ＰＣＩボードスロット  ２３：ピン  ２４：ケーブル  ２５：マザーボード側コネクタ  ２６：ＨＤＤバックボード側コネクタ  ２７：前部天板  ２８：後部天板  ２９：フロントベゼル  ３０：ラックイヤー  ３１：ラック  １９１：長穴
【図１】
2007183735.tif 000003
【図２】
2007183735.tif 000004
【図３】
2007183735.tif 000005
【図４】
2007183735.tif 000006
【図５】
2007183735.tif 000007
【図６】
2007183735.tif 000008
【図７】
2007183735.tif 000009
【図８】
2007183735.tif 000010
【図９】
2007183735.tif 000011
【図１０】
2007183735.tif 000012
【図１１】
2007183735.tif 000013
【図１２】
2007183735.tif 000014
【図１３】
2007183735.tif 000015
【図１４】
2007183735.tif 000016